(57)【特許請求の範囲】
【請求項１】
電気部品が収容されるソケット本体と、
該ソケット本体に設けられ、前記電気部品の端子に上端部が接触するコンタクトピンと、
前記ソケット本体の下側に上下動自在に設けられ、前記コンタクトピンの下端部が挿入される挿入孔が形成されたロケータープレートと、
該ロケータープレートに設けられたロック部材と、を有し、
該ロック部材は、該ロケータープレートに固定される固定部と、該固定部から上方に延長されて、上端側に第１係止部が形成されると共に該第１係止部より下方に前記第２係止部が形成された、弾性変形可能な係止片とを有し、
前記ソケット本体には、前記ロック部材の前記係止片が挿入される係止孔が形成され、
前記ロック部材の前記第１係止部は、前記ロケータープレートの最下降位置のときに、前記係止孔に係止されることによって前記ロケ−タープレートの下方への移動を規制し、
前記ロック部材の前記第２係止部は、前記ロケータープレートの前記最下降位置で、前記係止片の前記弾性力によって前記係止孔に係止されることで前記ロケ−タープレートの上方への移動を規制すると共に、所定値以上の力を受けた場合に弾性変形して該上方への移動の規制を解除する、
ことを特徴とする電気部品用ソケット。
【請求項２】
前記ソケット本体には、コンタクトプレートが設けられ、
該コンタクトプレートには、前記コンタクトピンが挿入されると共に、前記係止孔が形成されたことを特徴とする請求項１に記載の電気部品用ソケット。
【請求項３】
前記ロック部材は、複数の前記係止片を有することを特徴とする請求項１又は２に記載の電気部品用ソケット。
【請求項４】
前記係止片が２片、対称に設けられていることを特徴とする請求項３に記載の電気部品用ソケット。
【請求項５】
前記ロック部材が複数箇所に設けられていることを特徴とする請求項１乃至４のいずれかに記載の電気部品用ソケット。
【発明の詳細な説明】
【技術分野】
【０００１】
この発明は、配線基板上に配設され、半導体装置（以下「ＩＣパッケージ」という）等の電気部品の試験等を行うため、この電気部品を収容する電気部品用ソケットに関するものである。
【背景技術】
【０００２】
従来からこの種の「電気部品用ソケット」としては、「電気部品」であるＩＣパッケージを着脱自在に収容するＩＣソケットがある。
【０００３】
このＩＣソケットは、配線基板上に配設されるソケット本体を有し、このソケット本体には、ＩＣパッケージ端子及び配線基板を電気的に接続する複数のコンタクトピンが設けられている。また、ソケット本体の下側には、ＩＣソケットの搬送時にコンタクトピンの下端部が曲がることを防止するため、コンタクトピンの下端部を所定位置に保持するロケータープレートが取り付けられている（例えば、特許文献１参照）。
【０００４】
このロケータープレートは、その外周部に複数の爪が形成され、これらの爪がソケット本体に係合することにより、最上昇位置と最下降位置（ソケット本体の下方でコンタクトピンの下端部近傍位置）との間で上下動自在に支持されている。そして、配線基板への配設前（搬送時など）には、ロケータープレートが最下降位置に位置していると共に、配線基板への配設時には、ロケータープレートが配線基板に押し上げられて最上昇位置まで移動するように構成されている。
【先行技術文献】
【特許文献】
【０００５】
【特許文献１】特開平３−１５５０８２号公報
【発明の概要】
【発明が解決しようとする課題】
【０００６】
しかしながら、従来のものにあっては、配線基板への配設前には、ロケータープレートの爪がソケット本体に係合しているに過ぎず、最下降位置におけるロケータープレートの位置保持力があまり強くない。そのため、ＩＣソケットの搬送時において、ロケータープレートがＩＣソケットの振動などに伴って容易にソケット本体側へ上昇してしまい、ロケータープレートとしての機能（つまり、コンタクトピンの下端部を所定位置に保持する機能）を十分に発揮できない場合がある。
【０００７】
また、ロケータープレートの爪がソケット本体に単に係合しているだけの構造であるため、ロケータープレートの上下動に円滑さを欠き、ロケータープレートの作動感が優れないという課題もある。
【０００８】
そこで、この発明は、ロケータープレートとしての機能を十分に発揮させると共にロケータープレートの作動感を高めることが可能な電気部品用ソケットを提供することを課題としている。
【課題を解決するための手段】
【０００９】
かかる課題を達成するために、この発明は、電気部品が収容されるソケット本体と、該ソケット本体に設けられ、前記電気部品の端子に上端部が接触するコンタクトピンと、前記ソケット本体の下側に上下動自在に設けられ、前記コンタクトピンの下端部が挿入される挿入孔が形成されたロケータープレートと、該ロケータープレートに設けられたロック部材と、を有し、該ロック部材は、該ロケータープレートに固定される固定部と、該固定部から上方に延長されて、上端側に第１係止部が形成されると共に該第１係止部より下方に前記第２係止部が形成された、弾性変形可能な係止片とを有し、前記ソケット本体には、前記ロック部材の前記係止片が挿入される係止孔が形成され、前記ロック部材の前記第１係止部は、前記ロケータープレートの最下降位置のときに、前記係止孔に係止されることによって前記ロケ−タープレートの下方への移動を規制し、前記ロック部材の前記第２係止部は、前記ロケータープレートの前記最下降位置で、前記係止片の前記弾性力によって前記係止孔に係止されることで前記ロケ−タープレートの上方への移動を規制すると共に、所定値以上の力を受けた場合に弾性変形して該上方への移動の規制を解除する、電気部品用ソケットとしたことを特徴とする。
【００１０】
他の特徴は、前記ソケット本体には、コンタクトプレートが設けられ、該コンタクトプレートには、前記コンタクトピンが挿入されると共に、前記係止孔が形成されたことにある。
【００１１】
他の特徴は、前記ロック部材は、複数の係止片を有することにある。
【００１２】
他の特徴は、前記係止片が２片、対称に設けられていることにある。
【００１３】
他の特徴は、前記ロック部材が複数箇所に設けられていることにある。
【発明の効果】
【００１４】
この発明によれば、ロック部材の第１，第２係止部により、最下降位置におけるロケータープレートの位置保持力が増強されるため、電気部品用ソケットの搬送時において、ロケータープレートが電気部品用ソケットの振動などに伴って容易にソケット本体側へ上昇してしまう事態は生じない。従って、ロケータープレートとしての機能を十分に発揮させることができる。
【００１５】
また、ロケータープレートの最下降位置で上方への移動を規制すると共に所定の力を受けた場合に弾性変形して上方への移動を許可する第２係止部を設けることにより、ロケータープレートの上昇時にその弾性力を作用させることで、ロケータープレートの作動を円滑にして作動感を高めることができる。
【００１６】
他の特徴によれば、ロック部材の係止片が２片、対称に設けられることにより、ロック部材の作動時のバランスが良くなり、ロケータープレートの上下動が円滑になる。
【００１７】
他の特徴によれば、ロック部材が複数箇所に設けられることにより、ロケータープレートの爪をソケット本体に係合させることで両者間の結合力を得る従来の電気部品用ソケットに比べて、ロケータープレートを上下動させるときに平面状態を保ちやすい。
【００１８】
また、ロック部材は、コンタクトピンが配設されている領域を除けば、適宜自由な位置に配設することができるため、ロケータープレートを上下動させるときの作動感や平面状態を良好な状態に調整することが可能となる。
【図面の簡単な説明】
【００１９】
【図１】この発明の実施の形態に係るＩＣソケットを斜め下方から見た斜視図である。
【図２】同実施の形態に係る配線基板への配設前の状態におけるＩＣソケットの断面図である。
【図３】同実施の形態に係る図２の要部を示す拡大断面図である。
【図４】同実施の形態に係る配線基板への配設後の状態におけるＩＣソケットの断面図である。
【図５】同実施の形態に係る図４の要部を示す拡大断面図である。
【図６】同実施の形態に係るスタンドオフ斜め上方から見た斜視図である。
【発明を実施するための形態】
【００２０】
以下、この発明の実施の形態について説明する。
【００２１】
図１乃至図６には、この発明の実施の形態を示す。
【００２２】
まず、構成を説明すると、図中符号１１は、「電気部品用ソケット」としてのＩＣソケットで、このＩＣソケット１１は、「電気部品」である図示省略のＩＣパッケージ等のバーンイン試験等を行うために、このＩＣパッケージと配線基板Ｐとの電気的接続を図るものである。
【００２３】
ＩＣソケット１１は、図４に示すように、配線基板Ｐ上に配設されるようになっており、図１に示すように、配線基板Ｐ上に固定され、図示省略のＩＣパッケージが収容されるソケット本体１２と、このソケット本体１２に開閉自在に設けられ、図示省略のＩＣパッケージを押圧するカバー部材１７とを有している。ソケット本体１２には、複数のコンタクトピン１３が挿入され、これらのコンタクトピン１３の上端部１３ａがＩＣパッケージの図示省略の端子に接触するようになっている。
【００２４】
ソケット本体１２の上部には、図２に示すように、フローティングプレート１９が設けられると共に、ソケット本体１２の下部には、コンタクトピンプレート１４が設けられ、このコンタクトピンプレート１４にコンタクトピン１３が圧入され、上端部１３ａがフローティングプレート１９に挿入されている。また、このコンタクトピンプレート１４には、図６に示すように、円形の係止孔１４ａが形成されている。
【００２５】
コンタクトピンプレート１４の下側には、図１，図２，図４に示すように、平板状のロケータープレート１５が４個のガイドピン１８を介して上下動自在に取り付けられ、ロケータープレート１５には、コンタクトピン１３の下端部１３ｂが挿入される挿入孔１５ｂが形成されている。
【００２６】
ロケータープレート１５には、図１に示すように、８個の「ロック部材」であるスタンドオフ１６が等間隔で配設されている。それぞれのスタンドオフ１６は、図３，図５に示すように、ロケータープレート１５の挿入孔１５ａに圧入されて固定される固定部１６ａと、この固定部１６ａから上方に延長されて対称に設けられた２片の略くの字状の弾性変形可能な係止片１６ｂとを有している。それぞれの係止片１６ｂには、ロケータープレート１５の最下降位置Ｐ１で、下方への移動を規制する第１係止部１６ｃと、上方への移動を規制すると共に所定の力を受けた場合に弾性変形して上方への移動を許可する第２係止部１６ｄとが形成されている。これらの第１係止部１６ｃ及び第２係止部１６ｄは、コンタクトピンプレート１４の係止孔１４ａに係脱されるように構成されている。
【００２７】
第１係止部１６ｃは、外側に向けて突出する鉤形状を呈し、第２係止部１６ｄは、くの字状に折れ曲がった折曲部位である。
【００２８】
次に、かかるＩＣソケット１１の使用方法について、図２乃至図５を用いて説明する。
【００２９】
まず、ＩＣソケット１１が配線基板Ｐ上に配設される前（ＩＣソケット１１の搬送時など）には、図２，図３に示すように、複数のスタンドオフ１６の係止片１６ｂは、第１係止部１６ｃがコンタクトピンプレート１４の係止孔１４ａの上端に係止しているため、下方への移動が規制されている。また、第２係止部１６ｄ（係止片１６ｂの折曲部位）がコンタクトピンプレート１４の係止孔１４ａの下端より下方に位置すると共に、係止片１６ｂが内側に向けて弾性変形されることで、その反力が外側に向けて作用することにより、第２係止部１６ｄがコンタクトピンプレート１４の係止孔１４ａに係止しているため、上方への移動が規制されている。その結果、ロケータープレート１５は、最下降位置Ｐ１に容易に上下動しないように保持される。そのため、ＩＣソケット１１の搬送時において、ロケータープレート１５がＩＣソケット１１の振動などに伴って容易にコンタクトピンプレート１４側へ上昇してしまう事態は生じない。従って、ロケータープレート１５としての機能（つまり、コンタクトピン１３の下端部１３ｂを所定位置に保持する機能）を十分に発揮させることができる。
【００３０】
続いて、ＩＣソケット１１が配線基板Ｐ上に配設されたときには、図４，図５に示すように、ロケータープレート１５は、配線基板Ｐに押し上げられて最上昇位置Ｐ２まで上昇し、ロケータープレート１５により位置決めされていた複数のコンタクトピン１３の下端部１３ｂが配線基板Ｐの図示省略の挿入孔に確実に挿入され、半田付けされる。
【００３１】
この場合には、図３に示す状態から、ロケータープレート１５が所定の力で相対的に上方に押し上げられると、係止片１６ｂが内側に向けて弾性変形され、第２係止部１６ｄが上昇して係止孔１４ａ下端との係止状態が解除され、上方への移動が許可され、第２係止部１６ｄが係止孔１４ａ内面を摺動して行く。そして、第２係止部１６ｄが係止孔１４ａの上方へ抜けると、第２係止部１６ｄの下側の傾斜面が係止孔１４ａの上縁を摺動して行く。このように、係止片１６ｂの弾性力が作用した状態で第２係止部１６ｄが係止孔１４ａ内面を摺動すると共に、第２係止部１６ｄの下側の傾斜面が係止孔１４ａの上縁を摺動することにより、がたつくことなくロケータープレート１５を上昇させることができる。その結果、ロケータープレート１５の作動を円滑にして作動感を高めることができる。
【００３２】
さらに、ロケータープレート１５には複数（ここでは計８個）のスタンドオフ１６が等間隔で配設されているので、ロケータープレート１５の平面状態を保ちつつ上昇させることができる。
【００３３】
また、スタンドオフ１６は係止片１６ｂが２片、対称に設けられているため、スタンドオフ１６の作動時のバランスが良くなり、ロケータープレート１５の上下動が円滑になる。
【００３４】
なお、上記実施の形態では、「電気部品用ソケット」としてＩＣソケット１１に、この発明を適用したが、これに限らず、他の装置にも適用できることは勿論である。
【００３５】
また、上記実施の形態では、ソケット本体１２の下部にコンタクトピンプレート１４を設けたが、例えば、係止孔１４ａに相当する係止孔をソケット本体１２に形成することにより、コンタクトピンプレート１４を省くこともできる。
【００３６】
また、上記実施の形態では、ロケータープレート１５に８個のスタンドオフ１６を配設したが、スタンドオフ１６の個数は何個でも構わない。
【００３７】
また、上記実施の形態では、スタンドオフ１６が２片の係止片１６ｂを有しているが、係止片１６ｂの個数は１片、３片あるいはそれ以上でも良い。
【００３８】
さらに、上記実施の形態では、「ロック部材」としてスタンドオフ１６を、この発明に適用したが、これに限らず、他の構造のものでも良い。
【００３９】
また、この発明の電気部品用ソケットは、いわゆるオープントップタイプあるいはクラムシェルタイプのＩＣソケット、あるいは電気部品を押圧するプッシャーが自動機側に設けられたもの等にも適用できる。
【符号の説明】
【００４０】
11  ＩＣソケット（電気部品用ソケット）
12  ソケット本体
13  コンタクトピン
13a 上端部
13b 下端部
14  コンタクトピンプレート
14a 係止孔
15  ロケータープレート
15a 挿入孔
15b 挿入孔
16  スタンドオフ（ロック部材）
16a 固定部
16b 係止片
16c 第１係止部
16d 第２係止部
17  カバー部材
18  ガイドピン
19  フローティングプレート
Ｐ  配線基板
P1  最下降位置
P2  最上昇位置
【図１】
0005647876.tif 000002
【図２】
0005647876.tif 000003
【図３】
0005647876.tif 000004
【図４】
0005647876.tif 000005
【図５】
0005647876.tif 000006
【図６】
0005647876.tif 000007